【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
脊椎間の隙間において物質を分裂させるためのカッタであって、
カッタブレード、
脊椎端板に隣接して配置するための前記カッタブレード上の第１表面、
ブレード厚さにより前記第１表面から分離された前記ブレード上の第２表面、
前記ブレード上の第１側面、
前記ブレード上の第２側面、および
前記第１および第２側面の少なくとも１つの上の少なくとも１つのカッタエッジを備えるカッタ。
【請求項２】
前記カッタエッジは、前記第１表面と同一平面上にある請求項１に記載のカッタ。
【請求項３】
前記カッタエッジは、前記第２表面と同一平面上にある請求項１に記載のカッタ。
【請求項４】
前記第１側面上の第１切断エッジおよび前記第２側面上の第２切断エッジを備える請求項１に記載のカッタ。
【請求項５】
前記カッタブレードは、第１端部および第２端部を備え、第１端部および第２端部は、それぞれ回転可能な駆動シャフトへ取り付けられるための取り付け構造を含む請求項１に記載のカッタ。
【請求項６】
前記ブレードは、回転軸から半径方向外方へ延び、遠位方向へ傾斜する請求項１に記載のカッタ。
【請求項７】
前記ブレードは、近位方向に回転軸から半径方向外方へ傾斜する請求項１に記載のカッタ。
【請求項８】
前記ブレードは、ニッケルチタン合金からなる請求項１に記載のカッタ。
【請求項９】
回転可能な駆動シャフトへ固定された請求項１に記載のカッタ。
【請求項１０】
軟組織を通して背骨のある点へ器具を誘導するためのアクセスアセンブリであって、前記アセンブリは、
細長い管状のガイドピン誘導器、
ガイド内でスライド式に位置決めできる鈍い先端の針、および
前記ガイドピン誘導器内でスライド式に位置決めできるガイドピン、を備え、
前記ガイドピンは、ガイドピン延長部への接続のための近位コネクタを備えるアクセスアセンブリ。
【請求項１１】
前記ガイドピンによって取り外し可能に支持されるハンドルを備える請求項１０に記載のアクセスアセンブリ。
【請求項１２】
近位端、遠位端、及びそれらを通して延びる中心管腔を有する誘導器管、
前記近位端上のハンドル、
前記誘導管内で軸方向に移動可能に位置決めできる鈍い先端の針、および
前記誘導器管内で前記針を解放可能に保持するためのロック、
を備えるガイドピン誘導器。
【請求項１３】
前記ロックは、前記針により支持される第１表面構造を備えており、それは前記誘導器管により支持される第２補助表面構造と解放可能に係合する請求項１２に記載のガイドピン誘導器。
【請求項１４】
前記第１及び第２表面構造の一方はピンを備え、前記第１及び第２表面構造の他方は溝を備える請求項１３に記載のガイドピン誘導器。
【請求項１５】
尾骨近傍のアクセスを介して仙骨の前部表面上のある場所へ前進するためのガイドピンであって、
近位端及び遠位端を有する細長い本体、
前記遠位端上の半径方向に非対称の鋭い先端、および
前記本体の回転方向に前記遠位端により支えられる印を備え、
前記鋭い先端の方向が、前記印の方向により決定可能であるガイドピン。
【請求項１６】
ガイドピン供給アセンブリを作るためにガイドピン誘導器管と組み合わせられた請求項１５に記載のガイドピン。
【請求項１７】
前記ピンは、約１１インチ〜１３インチの範囲内の長さを有する請求項１５に記載のガイドピン。
【請求項１８】
ガイドピン延長部への解放可能な接続のため、前記ガイドピンの近位端上の解放可能カプリングを更に備える請求項１５に記載のガイドピン。
【請求項１９】
近位端及び遠位端を有する細長い管状鞘、
前記鞘内で軸方向へ移動可能で位置決め可能である細長いシャフト、
前記シャフトの遠位端により支えられた複数の捩れたフィラメントを備え、
前記管状鞘内に前記フィラメントを配置するために前記シャフトを近位部へ後退させた場合の第１縮小断面プロファイルと、前記鞘の遠位端を越えて前記フィラメントを露出させるために前記シャフトを前記鞘に対して軸方向遠位部へ前進させた場合の第２拡張断面プロファイルとの間で、前記フィラメントは移動可能である組織除去具。
【請求項２０】
前記フィラメントは、前記第１のプロファイルにおいて、前記鞘の長手方向軸にほぼ平行である請求項１９に記載の組織除去具。
【請求項２１】
前記フィラメントは、前記シャフトが第２のプロファイルにある場合、ランダムに構成される請求項１９に記載の組織除去具。
【請求項２２】
約5〜４０のフィラメントを備える請求項１９に記載の組織除去具。
【請求項２３】
前記フィラメントは、ニッケルチタン合金を備える請求項１９に記載の組織除去具。
【請求項２４】
各フィラメントは、約０．０５インチ以下の直径を有する請求項１９に記載の組織除去具。
【請求項２５】
遠位要素に解放可能に接続された近位要素を少なくとも有する細長い本体、
第１ピッチ及び第１外径を有する近位要素上の近位ネジ、
第２ピッチ及び第２外径を有する遠位要素上の遠位ネジを備え、
前記第１ピッチは前記第２ピッチと異なり、前記第１外径は前記第２外径より大きい伸延装置。
【請求項２６】
回転可能な駆動具と解放可能に係合するため解放可能なカプリングを更に備える請求項２５に記載の伸延装置。
【請求項２７】
少なくとも近位要素及び遠位要素を有する細長い本体、
前記近位要素上の近位の骨係合ネジ、
近位骨係合ネジから軸方向に分離された遠位要素上の遠位骨係合ネジ、および
回転可能なドライバを備え、
前記回転可能なドライバの回転は、前記近位及び遠位の骨係合ネジ間の軸分離を変化させる仮伸延装置。
【請求項２８】
軟組織を介する骨表面へのアクセス経路の断面積を増加させるための交換システムであって、
近位端、遠位端およびそれらを通して延びる中心管腔を有する細長い管状交換ブッシュ、および
近位端、遠位端およびそれらを通して延びる中心管腔を有する細長い管状交換カニューレを備え、
前記交換カニューレは、傾斜した遠位端を備え、
前記交換ブッシュは、前記交換カニューレの中心管腔内で軸方向に摺動可能である交換システム。
【請求項２９】
前記傾斜は、前記交換カニューレの長手方向軸に対し約２０〜７０度の範囲内の角度である請求項２８に記載の交換システム。
【請求項３０】
前記傾斜は、前記交換カニューレの長手方向軸に対し約３０〜６０度の範囲内の角度である請求項２９に記載の交換システム。
【請求項３１】
前記交換カニューレの近位端上のハンドルを更に備える請求項２８に記載の交換システム。
【請求項３２】
前記ハンドルは、環状バンドを備える請求項３１に記載の交換システム。
【請求項３３】
傾斜の回転方向の印を更に備える請求項２８に記載の交換システム。
【請求項３４】
前記印は、前記交換カニューレの近位端上の可視マーカを備える請求項３３に記載の交換システム。
【請求項３５】
前記印は、前記交換カニューレの近位端により支えられる環状バンド上の少なくとも１つのノッチを備える請求項３４に記載の交換システム。
【請求項３６】
次の処置の椎間板空間を準備するための椎間板準備キットであって、
椎間板空間物質を分裂させるための少なくとも１つのカッタ、および椎間板空間から分裂された物質を抽出するための少なくとも１つの抽出具を備える椎間板提供キット。
【請求項３７】
骨同種移植片挿入器を更に備える請求項３６に記載の椎間板準備キット。
【請求項３８】
椎間板空間へのアクセスを提供するためのアクセス道具、
前記椎間板空間の物質を分裂させるためのカッタ、
前記椎間板空間から分裂した物質を除去するための組織抽出具、および
前記椎間板空間を拡げ空間を横切る隣接する脊椎体の融合を可能にする融合棒を備える背骨融合キット。
【請求項３９】
骨成長材挿入器を更に備える請求項３８に記載の背骨融合キット。
【請求項４０】
治療場所へのアクセスを提供するためのアクセス道具、
前記治療場所の物質を分裂させるためのカッタ、
前記治療場所から分裂物質を除去するための組織抽出具、および
前記治療場所の少なくとも一部を除き治療場所での運動を可能にするための運動装置を備える運動キット。
【請求項４１】
増強剤挿入器を更に備える請求項４０に記載の運動キット。
【請求項４２】
運動装置を治療場所へ供給するための駆動具を更に備える請求項４０に記載の運動キット。
【請求項４３】
前記運動装置は運動維持装置を備える請求項４０に記載の運動キット。
【請求項４４】
椎間板空間へのアクセスを提供するためのアクセス道具、
前記椎間板空間の物質を分裂させるためのカッタ、
前記椎間板空間から分裂した物質を除去するための組織抽出具、
前記椎間板空間を拡げ空間を横切る隣接する脊椎体の融合を可能にする融合棒、および
経皮のアクセス場所を介した挿入のために形成された後部柱固定装置を備える背骨融合キット。
【請求項４５】
前記後部固定装置は、小面ネジである請求項４４に記載の背骨融合キット。
【請求項４６】
前記後部固定装置は、茎ネジである請求項４４に記載の背骨融合キット。
【請求項４７】
骨成長材挿入器を更に備える請求項４４に記載の背骨融合キット。
【請求項４８】
骨ペースト挿入器を更に備える請求項４４に記載の背骨融合キット。